(57)【要約】【課題】清掃作業の作業性を向上させること。【解決手段】利用者が把持可能な把持部（４ａ）と、一端側に配置された支持部（６）と、を有する把持部材（４）と、一端に前記支持部（６）に支持される被支持部（１１）を有し、他端側から被清掃部を清掃する清掃部材（３）が着脱可能な少なくとも３つ以上の保持部（９）であって、他端側が互いに接近する閉窄位置と、他端部側が互いに離間する開放位置との間で移動可能に前記被支持部（１１）において支持される前記保持部（９）と、を有することを特徴とする清掃用保持具（２）。【選択図】図３
2011120641.tif 000002
【特許請求の範囲】
【請求項１】
利用者が把持可能な把持部と、一端側に配置された支持部と、を有する把持部材と、
一端に前記支持部に支持される被支持部を有し、他端側から被清掃部を清掃する清掃部材が着脱可能な少なくとも３つ以上の保持部であって、他端側が互いに接近する閉窄位置と、他端部側が互いに離間する開放位置との間で移動可能に前記被支持部に支持される前記保持部と、
を有することを特徴とする清掃用保持具。
【請求項２】
前記各保持部の一端部の外面に接触して前記各保持部を前記閉窄位置に移動させる接触位置と、前記各保持部から離間して前記各保持部を前記開放位置に移動させる離間位置との間で移動可能な開閉部材、
を備えたことを特徴とする請求項１に記載の清掃用保持具。
【請求項３】
前記把持部に対して前記支持部を回転可能に支持する回転支持部、
を備えたことを特徴とする請求項１または請求項２に記載の清掃用保持具。
【請求項４】
利用者が把持可能な把持部と、一端側に配置された支持部と、を有する把持部材と、
一端に前記支持部に支持される被支持部を有する少なくとも３つ以上の保持部であって、他端側が互いに接近する閉窄位置と、他端部側が互いに離間する開放位置との間で移動可能に前記被支持部において支持される前記保持部と、
前記保持部の他端側から着脱可能に装着されて、被清掃部を清掃する清掃部材と、
を有することを特徴とする清掃具。
【発明の詳細な説明】
【技術分野】
【０００１】
本発明は、居住空間における隙間に対応した清掃用保持具および清掃具に関する。
【背景技術】
【０００２】
従来より、居住空間において、清掃をするために、洗濯可能または使い捨ての清掃部を柄に対して着脱可能とする清掃具に関して、以下の特許文献１〜４記載の技術が従来公知である。
【０００３】
特許文献１としての特開平１１−４７０５９号公報には、ハンドル部（１）の先端に、左右二股に分岐した脚部（２，３）が形成され、前記各脚部（２，３）の先端部に、回転中心（４，５）を中心として、左右一対の回動ベース板（６，７）が回転可能に支持されており、各回転ベース板（６，７）に清掃用の袋状のシート部材（１１，１２）を着脱可能な清掃具が記載されている。
特許文献１記載の技術では、ユーザが清掃したい範囲の大小に応じて、前記回動ベース板（６，７）を任意の回動位置に移動することで、清掃範囲に容易に対応させている。
【０００４】
特許文献２としての特開平１０−３０９２５１号公報には、シート部材（８）の面を清掃箇所の面に容易に合わせるために、清掃用のシート部材（８）が着脱されるベース体（３）に対して、ハンドル（２）が回転可能に支持された構成が記載されている。
特許文献３としての特開平０９−３０８６０１号公報には、紙や不織布、織布等からなる拭布（５）を巻き付けた弾性ヘッド（３）を清掃対象部位に対し、押し付け易い向きに調整するために、弾性ヘッド（３）を取付けた取付軸部（２）の端部に握柄（１）が回動自在に連結された構成が記載されている。
特許文献４としての特開平０９−２９９３０４号公報には、清掃対象部位に押し付ける紙や織布、不織布からなる拭布（１）の使用面を変えるために、前記拭布（１）が巻着されたヘッド（２）の端部に対して、柄（３）が回動自在に連結された構成が記載されている。
【先行技術文献】
【特許文献】
【０００５】
【特許文献１】特開平１１−４７０５９号公報（「０００９」〜「００１３」、図１〜図４）
【特許文献２】特開平１０−３０９２５１号公報（「０００９」〜「００１６」、図１、図２、図４）
【特許文献３】特開平０９−３０８６０１号公報（「０００６」、「０００８」、「０００９」、図１）
【特許文献４】特開平０９−２９９３０４号公報（「０００８」、「０００９」、図１）
【発明の開示】
【発明が解決しようとする課題】
【０００６】
本発明は、清掃作業の作業性を向上させることを技術的課題とする。
【課題を解決するための手段】
【０００７】
前記技術的課題を解決するために、請求項１に記載の清掃用保持具は、
利用者が把持可能な把持部と、一端側に配置された支持部と、を有する把持部材と、
一端に前記支持部に支持される被支持部を有し、他端側から被清掃部を清掃する清掃部材が着脱可能な少なくとも３つ以上の保持部であって、他端側が互いに接近する閉窄位置と、他端部側が互いに離間する開放位置との間で移動可能に前記被支持部に支持される前記保持部と、
を有することを特徴とする。
【０００８】
請求項２に記載の発明は、請求項１に記載の清掃用保持具において、
前記各保持部の一端部の外面に接触して前記各保持部を前記閉窄位置に移動させる接触位置と、前記各保持部から離間して前記各保持部を前記開放位置に移動させる離間位置との間で移動可能な開閉部材、
を備えたことを特徴とする。
【０００９】
請求項３に記載の発明は、請求項１または請求項２に記載の清掃用保持具において、
前記把持部に対して前記支持部を回転可能に支持する回転支持部、
を備えたことを特徴とする。
【００１０】
前記技術的課題を解決するために、請求項４に記載の清掃具は、
利用者が把持可能な把持部と、一端側に配置された支持部と、を有する把持部材と、
一端に前記支持部に支持される被支持部を有する少なくとも３つ以上の保持部であって、他端側が互いに接近する閉窄位置と、他端部側が互いに離間する開放位置との間で移動可能に前記被支持部において支持される前記保持部と、
前記保持部の他端側から着脱可能に装着されて、被清掃部を清掃する清掃部材と、
を有することを特徴とする。
【発明の効果】
【００１１】
請求項１，４に記載の発明によれば、閉窄位置と開放位置との間で移動する支持部に支持された３つ以上の保持部を有しない構成と比べ、清掃作業の作業性を向上させることができる。
請求項２に記載の発明によれば、接触位置と離間位置との間で移動する開閉部材を有しない構成と比べ、保持部を閉窄位置と開放位置との間で容易に移動させることができる。
請求項３に記載の発明によれば、把持部に対して支持部を回転可能に支持する回転支持部を有しない構成と比べ、清掃部材の位置を容易に調整することができる。
【図面の簡単な説明】
【００１２】
【図１】図１は本発明の実施例１の清掃具を斜め前方より見た説明図であり、図１Ａは清掃具の全体説明図、図１Ｂは清掃部材の説明図、図１Ｃは図１Ｂの清掃部材を矢印ＩＣ方向から見た説明図である。
【図２】図２は本発明の実施例１の清掃用保持具の説明図であり、図２Ａは清掃用保持具の分解説明図、図２Ｂは支持部の要部断面説明図である。
【図３】図３は図２ＢのＩＩＩ−ＩＩＩ線断面図であり、図３Ａは開閉部材が離間位置に移動した状態の断面図、図３Ｂは開閉部材が接触位置に移動した状態の断面図である。
【発明を実施するための最良の形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の清掃具を斜め前方より見た説明図であり、図１Ａは清掃具の全体説明図、図１Ｂは清掃部材の説明図、図１Ｃは図１Ｂの清掃部材を矢印ＩＣ方向から見た説明図である。
図２は本発明の実施例１の清掃用保持具の説明図であり、図２Ａは清掃用保持具の分解説明図、図２Ｂは支持部の要部断面説明図である。
図３は図２ＢのＩＩＩ−ＩＩＩ線断面図であり、図３Ａは開閉部材が離間位置に移動した状態の断面図、図３Ｂは開閉部材が接触位置に移動した状態の断面図である。
図１、図２において、本発明の実施例１の清掃具１は、清掃用保持具２と、前記清掃用保持具２に取り付けられる清掃部材３とを有する。前記清掃用保持具２は、前後方向に延びる把持部材の一例としてハンドル４を有する。
図１〜図３において、前記ハンドル４には、利用者が把持可能な把持部の一例としてのグリップ４ａが形成されている。前記グリップ４ａの前端には、回転支持部の一例として、前端面から後方に円柱状に凹んだ支持凹部４ｂが形成されている。前記支持凹部４ｂの内端には、前記支持凹部４ｂよりも大径の円柱状の抜け止め部４ｃが形成されている。
【００１５】
前記ハンドル４の前方には、支持部の一例として、前後方向に延びるジョイント６が配置されている。前記ジョイント６の後端には、前記支持凹部４ｂに対応して、後方に突出する円柱状の軸部６ａが形成されている。前記軸部６ａの外端には、前端部の外径が抜け止め部４ｃに対応する径に形成され且つ後方にいくに連れて径が細くなる円錐台状の抜け止め阻止部６ｂが形成されている。
したがって、前記ハンドル４と、前記ジョイント６とを連結する場合、抜け止め阻止部６ｂを支持凹部４ｂに前方から押し込むことで、前記抜け止め阻止部６ｂが弾性変形しながら挿入され、抜け止め阻止部６ｂが前記抜け止め部４ｃに嵌まると、抜け止め阻止部６ｂが弾性復元して抜け止めされる。この状態では、前記軸部６ａが前記支持凹部４ｂの周面に支持されており、ジョイント６がハンドル４に対し回転可能な状態で連結される。
【００１６】
前記ジョイント６の外周面の前端部には、外周面から外側に向けて凸状に突出した上下一対の案内部６ｃが形成されている。また、前記ジョイント６の内部には、支持部収容空間の一例として、前端から後部まで延びるホルダ収容空間６ｄが形成されている。前記ホルダ収容空間６ｄの後部には、固定部の一例として、円板状のホルダ支持部７が形成されており、前記ホルダ支持部７の円板の中心部には、固定口の一例として、前後方向に貫通するホルダ支持口７ａが形成されている。
前記ホルダ支持部７の前側には、固定部の一例として、前記ホルダ収容空間６ｄの内側に突起するホルダ固定ピン８が３本形成されている。前記ホルダ固定ピン８は、前記ジョイント６の内周面の周方向に沿って１２０°間隔で配置されている。
なお、実施例１では、ハンドル４およびジョイント６は、弾性変形可能な樹脂材料の一例としてのＡＢＳ：アクリロニトル・ブタジエン・スチレン樹脂により構成されている。
【００１７】
前記ジョイント６のホルダ収容空間６ｄには、保持部の一例として、ホルダ９が収容されている。前記ホルダ９の後端部には、前記ホルダ支持孔７ａに対応して、後方に突出する円筒状の被支持部１１が形成されている。
前記被支持部１１の前端には、保持腕部の一例として、前記被支持部１１の前端から前方に向けて延び且つ前記被支持部１１の径の中心から外方に放射状に広がるホルダ腕部１２が３本形成されている。実施例１のホルダ腕部１２は、前記各ホルダ固定ピン８に対応して、前記ジョイント６の周方向に沿って１２０°間隔で配置されている。前記ホルダ腕部１２の後部の基端部１２ａには、前記各ホルダ固定ピン８が貫通する被固定部の一例としての孔状の被固定孔１２ｂが形成されている。
【００１８】
なお、実施例１では、ホルダ９は、弾性変形可能な樹脂材料の一例としてのＰＰ：ポリプロピレン樹脂により構成されている。したがって、前記ホルダ腕部１２は、板バネとしての機能を有し、前記ホルダ腕部１２の前端部が互いに接近する方向に窄んで閉じる図３Ｂに示す閉窄位置と、前記ホルダ腕部１２の前端部が前記被支持部１１の径の中心から外方に放射状に広がる図３Ａに示す開放位置との間で開閉可能に構成されている。そして、外力が作用していない状態では、前記ホルダ腕部１２は、開放位置に保持されるように構成されている。
【００１９】
前記各ホルダ腕部１２には、補強部材の一例として、内側面にサイドリブ１３が形成されている。前記サイドリブ１３は、前記各ホルダ腕部１２の前端部から後端部に沿って内側に向けて凸状に突出した形状に形成されており、前記ホルダ腕部１２の前記ジョイント６の周方向両側に配置されている。
前記各ホルダ腕部１２の先端部の内側面には、引っ掛け部１４が形成されている。前記引っ掛け部１４は、前記各ホルダ腕部１２の前端部に前後方向中央部が凸状に突出した爪状に形成され、一対の前記各サイドリブ１３の間に配置されている。
また、前記各ホルダ腕部１２に取り付けられる前記清掃部材３は、袋状に構成されており、内部には前記ホルダ腕部１２が挿入される清掃部材開口の一例としてのシート開口１６が形成されている。
【００２０】
したがって、実施例１のホルダ腕部１２に清掃部材３を装着する場合、前記ホルダ腕部１２の前端から後方に向けて前記シート開口１６から前記清掃部材３を被せることで、前記清掃部材３の後端部が前記引っ掛け部１４に引っ掛かり、前記清掃部材３が前記ホルダ腕部１２に装着される。また、ホルダ腕部１２から前記清掃部材３を取り外す場合、前記清掃部材３の後端部を前記引っ掛け部１４から取り外し、前記ホルダ腕部１２に対して、前記清掃部材３を前方に向けて抜き出すことで、前記清掃部材３が前記ホルダ腕部１２から取り外される。
【００２１】
前記ジョイント６の外周面には、開閉部材の一例として、円筒状のスライダー１７が支持されている。前記スライダー１７の内側面には、被案内部の一例として、前記案内部６ｃに対応する位置に被ガイド溝１７ａが形成されている。前記被ガイド溝１７ａは、前記スライダー１７の内側面の前端部から後端部に沿って内側に向けて延びる凹型溝状に形状に形成されて、前記案内部６ｃが前記被ガイド溝１７ａに嵌まった状態で、前後方向に移動可能に支持されている。
【００２２】
また、前記被ガイド溝１７ａの前端には、前記案内部６ｃに接触可能な前ストッパー面１７ｂが形成されており、被ガイド溝１７ａの後端部には、移動制限部の一例として、スライダー１７の内周面から内側に向けて凸状に突出する上下一対の後ストッパー１７ｃが形成されている。
したがって、実施例１のスライダー１７は、図３Ａに示すように案内部６ｃが被ガイド溝１７ａに係合して、スライダー１７の内側面が前記各ホルダ腕部１２の外側面から離間して、各ホルダ腕部１２を開放位置に移動させる離間位置と、図３Ｂに示すように案内部６ｃが被ガイド溝１７ａに係合して、内側面が各ホルダ腕部１２の外側面に接触して、各ホルダ腕部１２を閉窄位置に移動させる接触位置との間で移動する。
【００２３】
（実施例１の作用）
前記構成を備えた実施例１の清掃具１では、利用者がグリップ４ａを持ち、３本のホルダ腕部１２に装着された清掃部材３の外側面を、利用者が清掃したい家具の面や床、壁、および、天井等の被清掃部に接触させて清掃を行う。
そして、実施例１の清掃具１では、清掃部材３は３本のホルダ腕部１２にそれぞれ装着されており、スライダー１７が接触位置と離間位置との間で移動されると、各ホルダ腕部１２が開閉される。したがって、ホルダ腕部１２に支持された清掃部材３どうしの間隔が広くなったり、狭くなったりして、清掃部材３の清掃可能範囲が調節される。
【００２４】
よって、例えば、隣接して配置された家具どうしの隙間や家具と壁の隙間を清掃する場合、隙間の幅に応じてホルダ腕部１２を開閉させて、隙間に清掃部材３を挿入して移動させる一回の動作で、隙間の両側の面を清掃できる。
また、筒状の隙間を有する被清掃物の内面の清掃を行う場合でも、筒の大きさに対応させて、ホルダ腕部１２を開閉し、筒の開口から清掃部材３を挿入して抜き出す一回の動作で筒の内側面を清掃できる。
【００２５】
ここで、特許文献１のような従来の構成では、シート部材（１１，１２）は回転軸を中心として開閉可能なベース板（６，７）に装着されており、シート部材（１１，１２）の清掃可能範囲は平面的に調節される。したがって、曲面的な形状の面や離れた平面を有するような立体的な形状の被清掃部に対して清掃を行う場合、被清掃部に対して、平面的に接触する前記シート部材（１１，１２）を、ずらしながら何度も清掃する必要があった。
一方、実施例１の清掃具１では、清掃部材３を被清掃部に接触させて移動させる一回の動作で、平面的な形状の被清掃部だけではなく、立体的な形状の被清掃部を一度に清掃できる。したがって、特許文献１のような従来の構成と比べ清掃の手間が減り、清掃時間が低減される。
【００２６】
また、実施例１の清掃具１では、ハンドル４に対してジョイント６がジョイント６の周方向に回転可能に連結されている。したがって、ハンドル４に対して、ジョイント６を回転させると、清掃部材３が回転して、清掃部材３の位置が調整される。
よって、被清掃部の形状や場所等の位置、利用者の姿勢等に応じて、利用者が清掃部材３の位置を調整でき、清掃作業の作業性を向上できる。
【００２７】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ08）を下記に例示する。
（Ｈ01）前記実施例において、３本のホルダ腕部１２を例示したが、これに限定されず、４本以上のホルダ腕部１２の構成も可能である。
（Ｈ02）前記実施例において、被支持部１１の前端から前方に向けて延び且つ被支持部１１の径の中心から外方に放射状に広がるホルダ腕部１２の構成を例示したが、これに限定されず、例えば、放射状に広がるホルダ腕部１２の途中に、１つまたは複数の連結部を設けて、連結部で角度を変更、調整可能とする構成も可能である。
【００２８】
（Ｈ03）前記実施例において、グリップ４ａの前端に支持凹部４ｂと抜け止め部４ｃとを形成し、ジョイント６の後端に軸部６ａと抜け止め阻止部６ｂとを形成する構成を例示したが、これに限定されず、グリップ４ａの前端に軸部と抜け止め阻止部とを形成し、ジョイント６の後端に支持凹部と抜け止め部とを形成し、ハンドル４と、ジョイント６とを連結する構成も可能である。また、グリップ４ａの前端に支持凹部４ｂと抜け止め部４ｃを一体形成し、ジョイント６の後端に軸部６ａと抜け止め阻止部６ｂとが一体形成された構成に限定されず、支持凹部４ｂ、抜け止め部４ｃをグリップ４ａと別体の構成としてグリップ４ａの前端に支持したり、軸部６ａ、抜け止め阻止部６ｂをジョイント６と別体の構成としてジョイント６の後端に支持することも可能である。さらに、ハンドル４と、ジョイント６とを回転可能に連結する構成が望ましいが、支持凹部４ｂ、抜け止め部４ｃ、軸部６ａおよび抜け止め阻止部６ｂを省略し、ハンドル４と、ジョイント６とを一体化した構成も可能である。
【００２９】
（Ｈ04）前記実施例において、ホルダ腕部１２に袋状の清掃部材３をとりつける構成を例示したが、これに限定されず、平面状等任意の形状の清掃部材をゴム等でホルダ腕部１２に取り付ける構成も可能であり、また、清掃部材には、被清掃部に対して清掃が可能な紙や不織布等の任意の材料の使用が可能である。
他にも各ホルダ腕部１２に清掃部材３を１つずつ取り付ける構成ではなく、円錐状の１枚のシートにホルダ腕部１２を挿入する部分を設けた構成とすることも可能である。この時、円錐状のシートをアコーディオン型とすることで、ホルダ腕部１２の開閉に対応可能である。
【００３０】
（Ｈ05）前記実施例において、補強部材の一例としてのサイドリブ１３と、引っ掛け部１４とを有する構成が望ましいが、サイドリブ１３または引っ掛け部１４のどちらか一方、あるいは、サイドリブ１３および引っ掛け部１４の両方を省略した構成も可能である。この場合、ホルダ腕部１２の全体が板ばね状となり、被清掃部の形状に合わせて弾性変形させることが可能となる。
（Ｈ06）前記実施例において、ホルダ腕部１２を板ばねで開閉する構成としたが、これに限定されず、例えば、ホルダ腕部１２の付け根を中心としてホルダ腕部１２を回転可能に支持し、ホルダ腕部１２が放射状に広がる方向に付勢するばねを組み込んで、ホルダ腕部１２を開閉する構成等の任意の構成を採用可能である。
【００３１】
（Ｈ07）前記実施例において、被ガイド溝１７ａに沿って、スライダー１７を前後方向に移動させ、ホルダ腕部１２を開閉させる構成を例示したが、これに限定されず、例えば、ジョイント６の外側面にオス螺子部を形成し、スライダー１７の内側面にメス螺子部を形成して、ジョイント６に対して、スライダー１７を回転させることで、スライダー１７を前後方向に移動させ、ホルダ腕部１２を開閉させる構成も可能である。また、スライダー１７を有する構成が望ましいが、スライダー１７を省略することも可能である。
（Ｈ08）前記実施例において、例示した具体的な材料等は、設計や仕様等に応じて、適宜変更可能である。
【符号の説明】
【００３２】
１…清掃具、
２…清掃用保持具
３…清掃部材、
４…把持部材、
４ａ…把持部、
４ｂ…回転支持部、
６…支持部、
９…保持部、
１１…被支持部、
１７…開閉部材。
【図１】
2011120641.tif 000003
【図２】
2011120641.tif 000004
【図３】
2011120641.tif 000005